(57)【要約】      （修正有）【課題】戸車と外れ止め部材の室内外方向のぶれを防止でき、且つ外れ止めを利かせたり解除したりする操作のしやすい網戸の戸車装置の提供。【解決手段】戸車装置は下框１内に取付ける本体ケース２と、本体ケースに組み込んだ戸車３、外れ止め部材４及びスライドバー５とを備え、戸車はコマ６とコマケース７からなる。スライドバーは下框に沿って移動自在に設けてあり、本体ケース及び下框の側端面から突出する戸当り部９と本体ケース内に挿入した作動部１０とを有し、作動部は、スライドバー引き出し時に外れ止め部材を本体ケース内に収納した状態で揺動を規制し、スライドバー押し込み時にその規制を解除するものであると共にコマケース及び外れ止め部材の側面に常時当接しており、網戸建て付け時に戸当り部を押してスライドバー５を押し込むと、外れ止め部材４が付勢部材８により下方に揺動して下枠レールに係合する。【選択図】図１
2010150866.tif 000002
【特許請求の範囲】
【請求項１】
下框内に取付ける本体ケースと、本体ケースに組み込んだ戸車、外れ止め部材及びスライドバーとを備え、戸車はコマとコマケースからなり、コマケースは上下方向に揺動可能に本体ケースに軸支してあると共に、コマが本体ケースの下縁より下方に飛び出さないように下方揺動の限界を規制してあり、外れ止め部材は、上下方向に揺動可能に本体ケースに軸支してあると共に、本体ケース内の弾性部材により下方向に付勢してあり、スライドバーは下框に沿って移動自在に設けてあり、本体ケース及び下框の側端面から突出する戸当り部と本体ケース内に挿入した作動部とを有し、作動部は、スライドバー引き出し時に外れ止め部材を本体ケース内に収納した状態で揺動を規制し、スライドバー押し込み時にその規制を解除するものであると共にコマケース及び外れ止め部材の側面に常時当接しており、網戸建て付け時に戸当り部を押してスライドバーを押し込むと、外れ止め部材が付勢部材により下方に揺動して下枠レールに係合することを特徴とする網戸の戸車装置。
【請求項２】
コマケース及び外れ止め部材は、スライドバーの室内側及び室外側の何れか一方に隣接して配置してあることを特徴とする請求項１記載の網戸の戸車装置。
【請求項３】
請求項１又は２記載の戸車装置を備えていることを特徴とする網戸。
【発明の詳細な説明】
【技術分野】
【０００１】
本発明は、網戸の外れ止め機能を有する戸車装置と、当該戸車装置を備えた網戸に関する。
【背景技術】
【０００２】
網戸は、上枠と下枠の室外側端部に形成された上下のレール間にけんどん式に取付けられ、強風等により網戸が浮き上がってサッシ枠から外れるのを防止するために、上框や下框に外れ止め部材を設けている。網戸の戸車装置に外れ止め部材を組み込んだものもある。
特許文献１の図１〜５に記載のものは、下框内に取付けられる戸車本体１３に戸車支承部材２１の一端部を軸着し、戸車支承部材２１に板状の外れ止め部材２７の上端部を軸着し、戸車支承部材２１と外れ止め部材２７間にスプリング３１を取付け、外れ止め部材２７を下方に付勢している。また戸車本体１３の下部には、錠部材３２が下框に沿って移動自在に設けてあり、網戸をサッシ枠に着脱する際には錠部材３２を戸車１２側に移動することで外れ止め部材２７の下部が錠部材３２により押し上げられ、下框内に収納されるようにしている。網戸をサッシ枠に取付けた後、錠部材３２を戸車１２と反対側に動かすと、外れ止め部材２７はスプリング３１の付勢力により下方に揺動して下部がレールの室内側面と重なり、網戸が外れるのを防止する。
【０００３】
上記特許文献１記載のものは、戸車支承部材２１の中間部に外れ止め部材２７を取付けている関係で、戸車支承部材２１の戸車本体１３への軸着部から戸車１２までの距離が長くなっており、そのため戸車１２が室内外方向にぶれるおそれがある。また、外れ止め部材２７も室内外方向にぶれたり曲がったりしやすい。錠部材３２は、下框の下部より室外側に露出した部分（縦板３４）を操作するようにしているため操作がしづらく、また室内側から操作することができない。
一般に網戸の下框は見込み寸法が小さいため、戸車装置は全体の厚みが大きくならないように各部材をコンパクトに配置する必要がある。
【特許文献１】実用新案登録第２５３７６２２号公報
【発明の開示】
【発明が解決しようとする課題】
【０００４】
本発明は以上に述べた実情に鑑み、戸車と外れ止め部材の室内外方向のぶれを防止でき、且つ外れ止めを利かせたり解除したりする操作のしやすい網戸の戸車装置及び網戸の提供を目的とする。
【課題を解決するための手段】
【０００５】
上記の課題を達成するために請求項１記載の発明による網戸の戸車装置は、下框内に取付ける本体ケースと、本体ケースに組み込んだ戸車、外れ止め部材及びスライドバーとを備え、戸車はコマとコマケースからなり、コマケースは上下方向に揺動可能に本体ケースに軸支してあると共に、コマが本体ケースの下縁より下方に飛び出さないように下方揺動の限界を規制してあり、外れ止め部材は、上下方向に揺動可能に本体ケースに軸支してあると共に、本体ケース内の弾性部材により下方向に付勢してあり、スライドバーは下框に沿って移動自在に設けてあり、本体ケース及び下框の側端面から突出する戸当り部と本体ケース内に挿入した作動部とを有し、作動部は、スライドバー引き出し時に外れ止め部材を本体ケース内に収納した状態で揺動を規制し、スライドバー押し込み時にその規制を解除するものであると共にコマケース及び外れ止め部材の側面に常時当接しており、網戸建て付け時に戸当り部を押してスライドバーを押し込むと、外れ止め部材が付勢部材により下方に揺動して下枠レールに係合することを特徴とする。
【０００６】
請求項２記載の発明による網戸の戸車装置は、請求項１記載の発明の構成に加え、コマケース及び外れ止め部材は、スライドバーの室内側及び室外側の何れか一方に隣接して配置してあることを特徴とする。
【０００７】
請求項３記載の発明による網戸は、請求項１又は２記載の戸車装置を備えていることを特徴とする。
【発明の効果】
【０００８】
請求項１記載の発明による網戸の戸車装置は、スライドバーの作動部がコマケース及び外れ止め部材の側面に常時当接しているため、戸車と外れ止め部材の室内外方向のぶれを防止できる。さらに、コマが本体ケースの下縁より下方に飛び出さないようにコマケースの下方揺動の限界を規制してあるため、網戸の着脱時に戸車が障害になることがなく、また戸車が壊れにくい。また、スライドバーに本体ケース及び下框の側端面から突出する戸当り部を設けたことで、室外側、室内側の両方からスライドバーを押し引き操作でき、またスライドバーを引き出し状態にして網戸をサッシ枠に建て込んだ後、網戸を竪枠に突き当てることで戸当り部が竪枠に当って押し込まれ、スライドバーを押し込み状態にすることもできる。戸車と外れ止め部材とスライドバーを本体ケースに組み込んだことで、全体をコンパクトにできると共に網戸への取付けが簡単に行え、且つ戸車と外れ止め部材が安定して機能し壊れにくい。
【０００９】
請求項２記載の発明による網戸の戸車装置は、コマケース及び外れ止め部材をスライドバーの室内側及び室外側の何れか一方に隣接して配置したことで、全体の厚みを抑えてより一層コンパクトにできる。
【００１０】
請求項３記載の発明による網戸は、請求項１又は２記載の戸車装置を備えていることで、戸車が室内外方向にぶれることがなくレールに沿ってスムーズにスライドできると共に、外れ止め部材も室内外方向にぶれないため外れ止め機能を安定して発揮できる。しかも、スライドバーに下框の側端面から突出する戸当り部を有しているため、外れ止めを働かせたり解除したりする操作もしやすい。
【発明を実施するための最良の形態】
【００１１】
以下、本発明の実施の形態を図面に基づいて説明する。網戸は、図１に示すように、左右の竪框１２と下框１と図示しない上框とを方形状に框組し、その内側に網１３を張って構成してあり、下框１の左右両端部に戸車装置１４を取付けてある。下框１は、室内側壁１５と室外側壁１６と中間横壁１７とで下向きに開口した凹部１８が形成され、中間横壁１７に矩形の孔１９を加工し、その孔１９の両側の縁部に戸車装置１４の本体ケース２の左右２箇所に形成したバネ片２０ａ，２０ｂをそれぞれ係止することで、凹部１８内に戸車装置１４を取付けている。
【００１２】
戸車装置１４は、図１，４，５に示すように、本体ケース２と、本体ケース２に左右に並べて組み込んだ戸車３及び外れ止め部材４と、戸車３と外れ止め部材４の室外側に跨るように本体ケース２に組み込んだスライドバー５とを備えている。本体ケース２、戸車３、外れ止め部材４及びスライドバー５は、それぞれ硬質の樹脂で形成してある。
本体ケース２は、図６に示すように、室内側壁２１と室外側壁２２と上壁２３ａ，２３ｂと側壁２４とを有し、竪框１２側の側方と下方とに開放し、室内側が一部開口した箱状に形成されている。本体ケース２は、図１に示すように、竪框１２から遠い方の上壁２３ａが一段高くなっており、その上壁２３ａが下框１の上面壁２５に形成した孔２６に嵌合している。また上壁２３ａには、戸車３の高さを調整するための調整ネジ２７が上方より貫通して設けてある。
【００１３】
スライドバー５は、下框１に沿って移動自在に本体ケース２に取付けてあり、図１，４に示すように、本体ケース２及び下框１の側端面から突出する戸当り部９と、本体ケース２内に挿入した作動部１０と、作動部１０より上方に突き出して設けた補助操作部２８とを有している。作動部１０は、図６に示すように薄い板状に形成してあり、図３に示すように、本体ケース２の室外側壁２２の内面に当接して配置してある。作動部１０には、図６に示すように、戸車３の揺動支点となる軸部２９が挿通される長孔３０が左右方向に形成してあるとともに、外れ止め部材４と係合するピン３１が室内側に突出して設けてある。補助操作部２８は、網戸がサッシ枠に取付けられた状態で室内側から外れ止めを解除するためのものであり、本体ケース２の上壁２３ａ及び下框１の上面壁２５より突出し、室内側からスライドバー５をスライド操作できるようにしている。
【００１４】
戸車３は、下枠のレール１１上を転動するコマ６（図３（ａ）参照）と、コマ６を支承するコマケース７とを有している。コマケース７は、図１，６に示すように、竪框１２側の端部の下方寄りの位置に軸部２９が室内側と室外側に突出して形成してあり、その軸部２９を本体ケース２の室内側壁２１と室外側壁２２とに形成した孔３２に係止して、上下方向に揺動可能に取付けてある。コマケース７は、軸部２９と反対側のコーナー部３３に調整ネジ２７の先端部が上方より突き当てられ、室内側から調整ネジ２７の出入りを調節することでコマケース７が上下方向に揺動してコマ６の高さが変わり、網戸の建て付けを調整できるようになっている。コマケース７は、図４（ａ）に示すように、軸部２９の上方の角部３４が本体ケース２内に設けた当接部３５に当接することにより、コマ６が本体ケース２の下縁より下方に飛び出さないように下方揺動の限界を規制してある。またコマケース７は、図３（ａ）に示すように、スライドバー５の作動部１０の室内側に隣接して配置してあって、室外側面７ａが作動部１０に常時当接しており、これにより戸車３の室内外方向のぶれが規制されている。さらに、図３（ｂ）に示すように、軸部２９の周囲の室内側面７ｂと室外側面７ｃが本体ケース２の室内側壁２１と室外側壁２２に常時当接することで、室内外方向のがたつきを規制してある。
【００１５】
外れ止め部材４は、図１，６に示すように、竪框１２側の上側のコーナー部に軸部３６が室内側と室外側に突出して形成してあり、軸部３６を本体ケース２の室内側壁２１と室外側壁２２に形成した孔３７に係止して上下方向に揺動可能に取付けられ、軸部３６に嵌めて本体ケース２内に設置したスプリング８により下方向に付勢してある。外れ止め部材４の下部には、図５（ｂ）に示すように、下向きに開口した溝３８が形成してあり、溝３８の上方にコマ３９を設けてある。外れ止め部材４は、図３（ｃ）に示すように、スライドバー５の作動部１０の室内側に隣接して配置してあって、室外側面４ａが作動部１０に常時当接しており、これにより外れ止め部材４の室内外方向のぶれを規制している。さらに外れ止め部材４は、図６に示すように、上側の室内側面４ｂが下部側よりも室外側に奥まった形で形成され、図３（ｃ）に示すように、この室内側面４ｂが本体ケース２の室内側壁２１に常時当接し、且つ室外側面４ａが作動部１０に常時当接しているため、室内外方向にがたつかないようになっている。外れ止め部材４の室外側面４ａには、図７（ｄ）に示すように、スライドバー作動部１０のピン３１が挿入される凹部４０が形成してある。図４（ａ）に示すように、戸当り部９が竪框１２から突出するようにスライドバー５を引き出した状態では、ピン３１が凹部４０の竪框１２側端部に形成された係止部４１に係止し、外れ止め部材４は本体ケース２内に収納された状態で揺動が規制される。図４（ｂ）に示すように、スライドバー５を押し込むとピン３１が係止部４１から外れ、外れ止め部材４はスプリング８によりコマ３９が下枠のレール１１と接するまで下方に揺動し、外れ止め部材下部の溝３８に下枠のレール１１が係合するため、網戸が外れなくなる。なお、外れ止め部材４のコマ３９は必ずしも必要ではなく、コマ３９を取外した状態で使用することもできる。
【００１６】
網戸をサッシ枠に建て込む際には、図１に示すように、スライドバー５を引き出した状態にする。そうすると、図４（ａ）に示すように、外れ止め部材４は作動部１０のピン３１により本体ケース２内に収納された状態で揺動が規制されるため、外れ止め部材４が建て込み時の障害にならない。戸車３は、本体ケース２内の当接部３５により下方揺動の限界が規制され、常に本体ケース２より下方に飛び出さないようにしてあるので、戸車３が建て込み時の障害になることがない。網戸を上下レール間にけんどん式に建て込んだ後、網戸をスライドさせて竪枠に突き当てると、図２に示すように、戸当り部９が竪框１２と面一となるまでスライドバー５が押し込まれる。そうすると、図４（ｂ）に示すように、作動部１０のピン３１が係止部４１から外れて外れ止め部材４がスプリング８により下方に揺動し、外れ止め部材４の下部の溝３８に下枠のレール１１が係合し、網戸が外れ止めされる。網戸を外す際には、スライドバー５を引き出して外れ止め部材４を本体ケース２内に収納する。このとき、戸当り部９を持ってスライドバー５を引き出してもよいが、補助操作部２８を操作することで室内側からも容易にスライドバー５をスライドできる。
【００１７】
以上に述べたように本戸車装置１４は、板状に形成したスライドバー５の作動部１０がコマケース７の室外側面７ａと外れ止め部材４の室外側面４ａに常時当接しており、尚且つコマケース７と外れ止め部材４の室内側面の一部７ｂ，４ｂが本体ケース２の室内側壁２１に常時当接しているため、戸車３や外れ止め部材４が上下方向に揺動しても室内外方向にぶれたりがたついたりすることがなく、戸車３による下枠レール１１へのガイド性、外れ止め部材４による網戸の外れ防止機能を高められる。しかもスライドバー５の作動部１０を本体ケース２の室外側壁２２の内面に沿わせて配置し、戸車３と外れ止め部材４を作動部１０の室内側に隣接して配置したことで、全体の厚みを抑えてコンパクトにできる。戸車３はコマ６が本体ケース２の下縁よりも飛び出すことがないため、戸車３が網戸着脱時に障害になることがなく、また戸車３が本体ケース２から飛び出さないことで戸車３の破損を防止できる。また、スライドバー５に本体ケース２及び下框１の側端面から突出する戸当り部９を設けたことで、室外側、室内側の両方からスライドバー５を押し引き操作でき、またスライドバー５を引き出し状態にして網戸をサッシ枠に建て込んだ後、網戸を竪枠に突き当てることでスライドバー５を押し込み、外れ止めを利かせることもできる。さらに、スライドバー５に下框上面壁２５より突出する補助操作部２８を設けたことで、網戸をサッシ枠に取付けた状態で室内側から外れ止めを解除するのも容易である。さらに本戸車装置１４は、本体ケース２に戸車３と外れ止め部材４とスライドバー５がコンパクトに組み込まれ、下框１の室内側壁１５や室外側壁１６に孔や切り欠き等の加工が不要で、下框１の凹部１８内に下方より簡易に取付けでき、尚且つ網戸の意匠性を向上できる。
【００１８】
図８，９は、本発明の網戸用装置１４の他の実施形態を示している。本実施形態のものは、スライドバー５の先端部５ａが本体ケース２から側方に突出しており、その室内側面に操作用の溝部４３が設けてある。網戸の下框１は、室内側壁１５に前記溝部４３がのぞく窓４４が形成してあり、その窓４４よりスライドバー５の溝部４３にマイナスドライバー等の工具を差し入れて横に操作することで、スライドバー５を室内側から左右にスライドできるようにしている。またスライドバー５は、溝部４３の横に緑色のカラーマーク４５が設けてあり、図８（ａ）に示すように、スライドバー５を引き出して外れ止めを解除した状態では、カラーマーク４５は下框１内に隠れており、図８（ｂ）に示すように、スライドバー５を押し込んで外れ止めを利かせると、カラーマーク４５は下框１の窓４４からのぞくようになっている。これにより室内側から外れ止めの状態を容易に確認できる。それ以外の構成は、先に述べた実施形態のものと同様である。
【００１９】
本発明は以上に述べた実施形態に限定されない。スライドバーの作動部は、戸車と外れ止め部材の室内側に隣接して配置することもできる。戸車や外れ止め部材、スライドバーの形状は、適宜変更することができる。
【図面の簡単な説明】
【００２０】
【図１】網戸の下部を一部切り欠きして示す室内側正面図であって、スライドバーを引き出したときの状態を示している。
【図２】網戸の下部を一部切り欠きして示す室内側正面図であって、スライドバーを押し込んだときの状態を示している。
【図３】（ａ）は図１のＡ−Ａ断面図、（ｂ）は図１のＢ−Ｂ断面図、（ｃ）は図１のＣ−Ｃ断面図である。
【図４】網戸の面内方向の断面における戸車装置の縦断面図であって、（ａ）はスライドバーを引き出したときの状態、（ｂ）はスライドバーを押し込んだときの状態を示している。
【図５】（ａ）は室内側の斜め上方から見た戸車装置の斜視図であり、（ｂ）は室内側の斜め下方から見た戸車装置の斜視図である。
【図６】戸車装置の分解斜視図である。
【図７】（ａ）は外れ止め部材の室内側面図、（ｂ）は外れ止め部材の底面図、（ｃ）は外れ止め部材の竪框側側面図、（ｄ）は外れ止め部材の室外側面図である。
【図８】本発明の戸車装置の他の実施形態を示す網戸下部の室内側正面図であって、（ａ）はスライドバーを引き出して外れ止めを解除した状態、（ｂ）はスライドバーを押し込んで外れ止めを利かせた状態を示している。
【図９】（ａ）は図８の実施形態の戸車装置を室内側の斜め上方から見た斜視図であり、（ｂ）は同戸車装置を室内側の斜め下方から見た斜視図である。
【符号の説明】
【００２１】
１  下框
２  本体ケース
３  戸車
４  外れ止め部材
５  スライドバー
６  コマ
７  コマケース
８  スプリング（弾性部材）
９  戸当り部
１０  作動部
１１  下枠レール
１４  戸車装置
【図１】
2010150866.tif 000003
【図２】
2010150866.tif 000004
【図３】
2010150866.tif 000005
【図４】
2010150866.tif 000006
【図５】
2010150866.tif 000007
【図６】
2010150866.tif 000008
【図７】
2010150866.tif 000009
【図８】
2010150866.tif 000010
【図９】
2010150866.tif 000011